(57)【要約】【目的】感触性、防音性、防振性に優れたスイッチ機構を提供する。【構成】ボタン押圧時の感触性を高めると同時に、タクトスイッチ押圧時の接触音の発生を抑え、ガラスエポキシ基板の振動音も低減するために、複数のモードを選択するための操作部であるボタン１と、ガラスエポキシ基板５上に複数実装されたタクトスイッチ６の間に、挟み込むように配置した弾性体４のずれを防止するために、前記弾性体４を金属薄板からなる押さえ板３により押さえつけて圧着するように固定した。【選択図】図１
2005327476.tif 000002
【特許請求の範囲】
【請求項１】
複数のモードを選択するための操作部と、配線基板上に複数配置されたタクトスイッチの間に、弾性体を配した構造を有するスイッチ機構において、前記弾性体を固定するために、前記配線基板上に複数実装されたタクトスイッチに前記弾性体を被せ、その上から前記タクトスイッチと被せた前記弾性体が共に没入可能で、前記配線基盤上の前記タクトスイッチの配置に合わせた位置に穴を有する金属薄板からなる押さえ板により固定する固定手段を設けたことを特徴とするスイッチ機構。
【発明の詳細な説明】
【技術分野】
【０００１】
本発明は、感触性、防音性、防振性に優れ、特にボタンとタクトスイッチとの間、さらに外形部材及び前記タクトスイッチが実装される基板との間に、挟み込むように配置された絶縁体からなる弾性体を有するスイッチ機構に関するものである。
【背景技術】
【０００２】
従来よりカメラをはじめとする電子機器においては、機器の小型化や操作性の向上、感触の向上などの為に、ボタンを用いて複数のモード選択を行うスイッチ機構が知られている。またコスト削減の為、基板の一体化や小型化なども行われており、タクトスイッチなどのスイッチ類も直接基板上に実装されることも多い。
【０００３】
上述したスイッチ機構としては、例えば、特開平９−１６７７号公報等に記載されたものが知られる。図３はこの特開平９−１６７７号公報に記載されるスイッチ機構の断面図の様子を示したものであり、タクトスイッチ２１が装着された回路基板２０を収容するケース１０に、複数の開口１１が前記タクトスイッチ２１の直上に形成され、これら開口１１内に開口１１周縁との間に表裏を貫通する枠状の隙間（仕切り溝）１１ａを隔てキートップ部材１２が設けられている。また、ケース１０とキートップ部材１２の裏面に熱可塑性エラストマからなるシート状のカバー部材３０が隙間１１ａの内側開口を閉塞するように連続して貼合される。このスイッチ機構はキートップ部材１２を押圧操作することでカバー部材３０の隙間１１ａ閉塞部分を弾性変形させて下動し、キートップ部１２の下面がカバー部材３０を介しタクトスイッチ２１を開閉作動させる。また、キートップ部材１２から指を離すと、カバー部材３０の隙間１１ａ閉塞部分の弾性によりキートップ部材１２が元の位置に復帰する。
【特許文献１】特開平９−１６７７号公報
【発明の開示】
【発明が解決しようとする課題】
【０００４】
しかしながら、上記特開平９−１６７７号公報に記載されるスイッチ機構の場合、キートップ部材１２は熱可塑性エラストマからなるシート状のカバー部材３０の上に乗っているだけの、いわば宙ぶらりの状態であり、上下左右、押圧方向に遊びが存在する。ユーザーがキートップ部材１２を押圧すれば、熱可塑性エラストマからなるシート状のカバー部材３０が撓み、タクトスイッチ２１が押圧されるが、熱可塑性エラストマからなるシート状のカバー部材３０とタクトスイッチ２１の間に隙間があることで、キートップ部材１２を押圧する際に遊びが生じ、感触性を損ねている。
【０００５】
また、タクトスイッチ２１とキートップ部材１３の裏面に熱可塑性エラストマからなるシート状のカバー部材３０を、隙間（仕切り溝）１１ａを覆うように接着剤により接着またはケース１０と二色成型しているため、スイッチの数が多くなる場合には接着の手間がかかり、カバー部材３０の品質劣化が生じる。また、キートップ部材１３を押圧した際の感触が悪く、タクトスイッチのがたつき及びクリック音が発生し、さらに、前記タクトスイッチがキートップ部材１３により押圧された際のクリック音が基板に反響し、不快な振動音が発生するといった問題がある。
【課題を解決するための手段】
【０００６】
上記課題を解決するために、本発明では、複数のモードを選択するための操作部と、配線基板上に複数配置されたタクトスイッチの間に、弾性体を配した構造を有するスイッチ機構において、前記弾性体を固定するために、前記配線基板上に複数実装されたタクトスイッチに前記弾性体を被せ、その上から前記タクトスイッチと被せた前記弾性体が共に没入可能で、前記配線基盤上の前記タクトスイッチの配置に合わせた位置に穴を有する金属薄板からなる押さえ板により固定する固定手段を設けた。
【発明の効果】
【０００７】
本発明のスイッチ機構においては、複数のモードを選択するための操作部と、配線基板上に複数配置されたタクトスイッチの間に、弾性体を配した構造を有するスイッチ機構において、前記弾性体を固定するために、前記配線基板上に複数実装されたタクトスイッチに前記弾性体を被せ、その上から前記タクトスイッチと被せた前記弾性体が共に没入可能で、前記配線基盤上の前記タクトスイッチの配置に合わせた位置に穴を有する金属薄板からなる押さえ板により固定する固定手段を設けたことにより、前記ボタン押圧時の感触性を高めると同時に、タクトスイッチ押圧時の不快なクリック音、及びボタン押圧時の前記タクトスイッチが実装されたガラスエポキシ基板の不快な振動音を低減し、タクトスイッチのずれを防止し且つ、感触性、防音性、防振性を高めることができる。
【発明を実施するための最良の形態】
【０００８】
以下図面を参照して本発明のもっとも良好な実施形態を説明する。
【０００９】
図１はタクトスイッチを利用した５ボタン（上・下・左・右・中心）スイッチ機構の構成図である。図２は５ボタン（上・下・左・右・中心）スイッチ機構の断面図（ボタン下が押されたとき）を示す。
【００１０】
図１、図２において１はガラスエポキシ基板に実装されたタクトスイッチを収容する外形部材であり、２はユーザーが直接指で押す５つのボタンである。また、３はゴムシート及びスポンジシートなどの絶縁体からなる弾性体を固定し、前記絶縁体のずれを防止するための金属薄板からなる押さえ板であり、４はゴムシート及びスポンジシートなどの絶縁体からなる弾性体である。また、５はガラスエポキシ基板であり、６はガラスエポキシ基板５上に実装されたタクトスイッチである。
【００１１】
この５ボタンスイッチ機構を使用する場合、使用者はこの５ヶ所のボタンの内ある任意の１ヶ所を指で押す。例えば５ボタンの下方向を押すと、図２に示すように、ユーザーによってボタン２の下側が押され、ボタン２が弾性体４を押圧することで前記弾性体４が潰れ、さらにタクトスイッチ６を押圧する。その際、タクトスイッチ６において、クリック音を発するが、前記弾性体４の防音効果により、クリック音は低減される。また同時に、タクトスイッチ６を押圧した際にガラスエポキシ基板５において、振動音が発せられるが、これも前記弾性体４の防振効果により、振動音を低減させる。
【００１２】
ボタン２と、タクトスイッチ６の間に、挟み込むように配置された弾性体４を固定し、前記弾性体４のずれを防止するために、金属薄板からなる押さえ板３で固定し、前記弾性体４をガラスエポキシ基板５に圧着させると同時に、外形部材１から前記ガラスエポキシ基板５への電磁シールド性を持たせることが可能である。さらに、ボタン２が、前記弾性体４によって、タクトスイッチ６に常に圧着されている状態である為、ダンパー（緩衝材）の役割を果たすことで、ボタン２押圧時に、多少ガラスエポキシ基板５が撓んでも、感触性に影響する事はない。
【００１３】
弾性体４を接着しないで金属薄板からなる固定板３で固定しているので、従来の弾性体の接着方法のように、操作部であるボタンの数が多くなれば多くなるほど手間がかかり、弾性体４の品質劣化を生じさせるということもなく、衝撃などによる弾性体４のずれを防止することができる。
【００１４】
また、押圧していない状態であれば、ボタン２は弾性体４によって常に外形部材１の外観方向へ圧着された状態となり、ボタン２のガタつきも抑えることが可能となり、製品としての緻密感、剛性感を高めることが可能となる。
【００１５】
尚、今回はタクトスイッチ６がガラスエポキシ基板５上に実装されているが、タクトスイッチ６の位置が固定可能な構造であれば、金属薄板からなる押さえ板３に貼り付けたフレキシブル基板など、別の形態であっても問題ないことは言うまでもない。
【図面の簡単な説明】
【００１６】
【図１】５ボタンスイッチ機構の構成図である。
【図２】５ボタンスイッチ機構の断面図（ボタン下が押されたとき）である。
【図３】従来のスイッチ機構の断面図である。
【符号の説明】
【００１７】
１  外形部材
２  ボタン
３  押さえ板
４  弾性体
５  ガラスエポキシ基板
６  タクトスイッチ
１０  ケース
１１  開口
１１ａ仕切り溝
１２  キートップ部材
２０  回路基板
２１  タクトスイッチ
３０  カバー部材
【図１】
2005327476.tif 000003
【図２】
2005327476.tif 000004
【図３】
2005327476.tif 000005